(57)【要約】【課題】版胴支持機構に格別の工夫をすることなく版胴の撓みを低減し、また連続紙に順次印刷するべく配された隣り合う印刷手段間に版胴のバウンドや振動の大きさの相違をなくし、他の印刷手段のバウンドや振動の影響を無くした新聞用多色刷りオフセット輪転印刷機を提供する。【解決手段】新聞用多色刷り輪転印刷機において、複数の印刷手段Ｐの夫々は、版胴１を、その中心線１１がこの版胴と対をなすブランケット胴２の中心線２１より上方であって、しかも版胴の中心線とブランケット胴の中心線を含む平面１０Ｂがブランケット胴の中心線を含む水平面２２と成す仰角αが３５度≦｜α｜≦９０度となるように配し、これら複数の印刷手段の仰角αを略同等の大きさにし、かつ、これら複数の印刷手段を上下方向に重ね、連続紙を略鉛直方向に走行させてこれら印刷手段のブランケット胴の周面と圧胴の周面との間を順次通過させる。【選択図】図２
2008290422.tif 000002
【特許請求の範囲】
【請求項１】
新聞１ページの長辺の長さと同じ長さの周方向長さ及び新聞１ページの短辺の長さの４倍の長さの軸方向長さの周面を有する版胴と、前記版胴と対をなし当該版胴の周方向長さの２以上の整数倍の長さの周面方向長さ及び当該版胴の軸方向長さと略同等の軸方向長さの周面を有するブランケット胴であって、その中心線を含む鉛直面で２分割される当該ブランケット胴の一方の分割周面が前記版胴の周面と接触可能であるブランケット胴と、前記ブランケット胴の他方の分割周面との間に連続紙の全幅を挟んで当該ブランケット胴の他方の分割周面に接触可能である周面を有する圧胴とが、互いに平行に設けられた印刷手段を複数備えた新聞用多色刷り輪転印刷機において、
前記複数の印刷手段のそれぞれは、
前記版胴を、その中心線が当該版胴と対をなす前記ブランケット胴の中心線より上方であって、しかも前記版胴の中心線と前記ブランケット胴の中心線を含む平面が当該ブランケット胴の中心線を含む水平面と成す仰角αが３５度≦｜α｜≦９０度となるように配し、更に、これら複数の印刷手段の前記仰角αを略同等の大きさにし、
かつ、これら複数の印刷手段を上下方向に重ねるとともに、連続紙を略鉛直方向に走行させてこれら印刷手段の前記ブランケット胴の周面と前記圧胴の周面との間を順次通過させるように設けた、
ことを特徴とする新聞用多色刷りオフセット輪転印刷機。
【請求項２】
複数の印刷手段のうち少なくとも何れか１つの印刷手段は、圧胴を他のブランケット胴に替え、ブランケット胴と当該他のブランケット胴が互いに他方の圧胴として作用するように配するとともに、当該他のブランケット胴と対をなす他の版胴を設け、
前記他の版胴を、その中心線が当該他の版胴と対をなす前記他のブランケット胴の中心線より上方であって、しかも前記他の版胴の中心線と前記他のブランケット胴の中心線を含む平面が当該他のブランケット胴の中心線を含む水平面と成す仰角βが３５度≦｜β｜≒｜α｜≦９０度となるように配し、
更に、これら複数の印刷手段の前記仰角βを略同等の大きさにし、
連続紙を略鉛直方向に走行させてこれら印刷手段の前記ブランケット胴の周面と前記圧胴又は前記ブランケット胴の周面と前記他のブランケット胴の周面との間を順次通過させ、連続紙の両面に印刷ができかつ少なくとも１面に多色印刷をすることが可能であるように設けた、
ことを特徴とする請求項１に記載の新聞用多色刷りオフセット輪転印刷機。
【発明の詳細な説明】
【技術分野】
【０００１】
この発明は新聞用多色刷りオフセット輪転印刷機に係り、詳細には、新聞１ページの長辺の長さと同じ長さの周方向長さ及び新聞１ページの短辺の長さの４倍の長さの軸方向長さの周面を有する版胴と、この版胴の周面と接触可能であるとともに、この版胴の周方向長さの２以上の整数倍の長さの周面方向長さ及びこの版胴の軸方向長さと略同等の軸方向長さの周面を有するブランケット胴であって、その中心線を含む鉛直面で２分割される当該ブランケット胴の一方の分割周面が前記版胴の周面と接触可能であるブランケット胴と、このブランケット胴の他方の分割周面との間に連続紙の全幅を挟んでこのブランケット胴の周面に接触可能である周面を有する圧胴とが、互いに平行に設けられ、前記ブランケット胴の周面と圧胴の周面との間に挟んだ連続紙に印刷をすることができる印刷手段を複数備えた新聞用多色刷りオフセット輪転印刷機に関する。
【背景技術】
【０００２】
一般的に、新聞は２ページを横に並べて表裏計４ページを１枚の紙に印刷した形態をなしており、比較的発行部数の多い新聞の印刷には、新聞１ページの長辺の長さの２倍の周面方向長さ及び新聞１ページの短辺の長さの４倍の軸方向長さの周面を有する版胴及び略同等の周面を有するブランケット胴を備えた両面印刷用オフセット輪転印刷機を使用し、版胴には、周面方向に同一ページの刷版を２枚ずつ軸方向に異なるページの刷版を４列装着し、版胴１回転で、前記表裏計４ページを印刷した紙２種を２枚ずつ計４枚刷る印刷が主流で行われていた。ところが近年、新聞では、報道内容の進展に合わせて記事内容を差し替えたり、配布地域に合わせてニュースや広告を差し替えるようになってきたことにより、まだまだ印刷可能な刷版を、単色刷りの場合では差し替えページの数の２倍の数だけ、多色刷りの場合では差し替えページの数と使用するインキの色数の積を２倍した数だけ、それぞれ廃棄する無駄が生じるようになった。
【０００３】
そこで、この無駄を無くすべく、例えば特許文献１によって、新聞１ページの長辺の長さと同じ周面方向長さ及び新聞１ページの短辺の長さの４倍の軸方向長さの周面を有する版胴及び新聞１ページの長辺の長さの２倍の周面方向長さ及び新聞１ページの短辺の長さの４倍の軸方向長さの周面を有するブランケット胴を備え、版胴の周面方向に装着できる刷版を１枚にし、前記表裏計４ページを印刷した紙を版胴１回転で２枚刷るようにした印刷手段が提案され、更に、この印刷手段を２つ、ブランケット胴を上下方向に近接させて配し、下方の印刷手段ではブランケット胴の中心線を含む水平面より下方に当該ブランケット胴と対をなす版胴を設け、上方の印刷手段ではブランケット胴の中心線を含む水平面より上方に当該ブランケット胴と対をなす版胴を設けた、所謂Ｈ型の２色刷り輪転印刷機を、高さ方向２つ重ね、連続紙を略鉛直方向に走行させるようにした新聞用多色刷りオフセット輪転印刷機が提案されている。
【特許文献１】米国特許第６４０８７４７号公報
【発明の開示】
【発明が解決しようとする課題】
【０００４】
ところで、オフセット印刷は刷版の画線部に載せたインキを一旦ブランケット面に転写し、更にブランケット面に転写したインキを紙等の媒体（以下、紙又は連続紙とする）に印刷する。したがって、オフセット輪転印刷機の印刷稼働の際は、版胴とブランケット胴との間に印刷稼働に必要な所定の転写圧を作用させる必要があり、印刷稼働中の版胴には、ブランケット胴中心線と版胴中心線とを含む平面にそってブランケット胴から遠ざかる方向に向かう前記転写圧の反力と鉛直方向に向かう版胴の自重との合成荷重（以下、合成荷重とする）が作用し、この合成荷重により、版胴はこれを支持するフレーム間で合成荷重の大きさに相応する撓みを生じる。そして、印刷稼働中には、版胴周面の刷版装着溝やブランケット胴周面のブランケット装着溝が版胴とブランケット胴の接触部を通過するたびに、転写圧が瞬時略零になりすぐに設定圧力に戻ることを繰返し、この転写圧変動、つまり転写圧の反力の変動に伴って、前記版胴の撓みが瞬時自重のみによる撓みと元の撓みに戻ることを繰返し、質量がブランケット胴の略４分の１しかない版胴がブランケット胴外周面で比較的大きなバウンドを繰返し、それに起因する振動を生じる。そのため印刷画像に濃淡やダブリが生じる等の印刷品質の低下が発生しやすかった。
【０００５】
さらに、ブランケット胴を上下方向に近接させて配し、下方のブランケット胴ではその中心線を含む水平面より下方に当該ブランケット胴と対をなす版胴を設けて下方印刷手段を形成し、上方のブランケット胴ではその中心線を含む水平面より上方に当該ブランケット胴と対をなす版胴を設けて上方印刷手段を形成し、下方印刷手段と上方印刷手段を交互に積み重ねた、前記特許文献１に開示される新聞用多色刷りオフセット輪転印刷機では、転写圧の反力の向きが水平よりも下向きになる下方印刷手段のほうが、転写圧の反力の向きが水平よりも上向きになる上方印刷手段よりも、合成荷重が大きくなり、下方の印刷手段の版胴の撓み量が上方の印刷手段の版胴の撓みより大きくなる。したがって、連続紙に順次印刷するべく配された印刷手段の間で版胴のバウンドや振動の大きさが相違し、またブランケット胴を近接して隣り合う印刷手段の間では、版胴のバウンド位置が接近していることも一因となって、本来小さく収まるべき上方印刷手段の版胴のバウンドや振動が下方印刷手段の版胴の大きなバウンドや振動に影響されて本来より大きなバウンドや振動となることが多々あり、前記印刷画像の濃淡やダブリの程度がより大きくなり、良好な印刷品質の印刷物を得ることが一層困難であった。
【０００６】
他方、最近では、印刷設備の高効率化の要望が強く、新聞印刷においては、表裏計４ページの新聞を１時間あたり少なくとも７．５万乃至８万部前後印刷できる印刷速度での稼動が求められ、版胴を高速回転させての新聞印刷が強いられ、また、最近の米国の新聞が１ページの短辺の長さを例えば１２インチまで狭めているのにくらべ、日本では１ページの短辺の長さが１６インチである所謂ブランケットサイズの新聞を印刷する必要があるため、これに対応して版胴を支持するフレーム間スパンが米国の輪転印刷機と比較すると大きくならざるを得ず、前記版胴の撓みを少なくする工夫が強く求められ、例えば日本国特許第３５５４３０３号公報によって提案される、両端軸を軸受で回転可能に支持するとともに軸方向中央部を軸受で支持するような、特別な版胴支持の工夫が必要であった。
【０００７】
この発明は、所謂ブランケットサイズの新聞１ページの長辺の長さと同じ周面方向長さ及び前記ブランケットサイズの新聞１ページの短辺の長さの４倍の軸方向長さの周面を有する版胴を備えた複数の印刷手段を高さ方向に重ねた新聞用多色刷りオフセット輪転印刷機において、版胴支持機構に格別の工夫をすることなく版胴の撓みを低減し、また連続紙に順次印刷するべく配された隣り合う印刷手段間に版胴のバウンドや振動の大きさの相違をなくし、他の印刷手段のバウンドや振動の影響を無くすことを目的とするものである。
【課題を解決するための手段】
【０００８】
この発明は、特許請求の範囲に記載された構成によって前記目的を達成しようとするものである。
【０００９】
詳細には、本発明の請求項１に記載の新聞用オフセット輪転印刷機は、
新聞１ページの長辺の長さと同じ長さの周方向長さ及び新聞１ページの短辺の長さの４倍の長さの軸方向長さの周面を有する版胴と、前記版胴と対をなし当該版胴の周方向長さの２以上の整数倍の長さの周面方向長さ及び当該版胴の軸方向長さと略同等の軸方向長さの周面を有するブランケット胴であって、その中心線を含む鉛直面で２分割される当該ブランケット胴の一方の分割周面が前記版胴の周面と接触可能であるブランケット胴と、前記ブランケット胴の他方の分割周面との間に連続紙の全幅を挟んで当該ブランケット胴の他方の分割周面に接触可能である周面を有する圧胴とが、互いに平行に設けられた印刷手段を複数備えた新聞用多色刷り輪転印刷機において、
前記複数の印刷手段のそれぞれは、
前記版胴を、その中心線が当該版胴と対をなす前記ブランケット胴の中心線より上方であって、しかも前記版胴の中心線と前記ブランケット胴の中心線を含む平面が当該ブランケット胴の中心線を含む水平面と成す仰角αが３５度≦｜α｜≦９０度となるように配し、更に、これら複数の印刷手段の前記仰角αを略同等の大きさにし、
かつ、これら複数の印刷手段を上下方向に重ねるとともに、連続紙を略鉛直方向に走行させてこれら印刷手段の前記ブランケット胴の周面と前記圧胴の周面との間を順次通過させるように設けている。
【００１０】
そして、請求項１に記載の発明の構成によれば、上下方向に重ねた印刷手段のすべてにおいて、印刷稼働の間に版胴に作用する合成荷重の大きさを略同等にするとともに、合成荷重を版胴の自重と転写圧の反力相殺により小さくして版胴の撓みを低減し得る。また、バウンドする版胴を大きく離隔して設けたので、隣り合う印刷手段の間で版胴のバウンドや振動が影響することをなくし得る。
【００１１】
本発明の請求項２に記載の新聞用オフセット輪転印刷機は、請求項１に記載の新聞用オフセット輪転印刷機において、
前記複数の印刷手段のうち少なくとも何れか１つの印刷手段は、前記圧胴を他のブランケット胴に替え、前記ブランケット胴と当該他のブランケット胴が互いに他方の圧胴として作用するように配するとともに、当該他のブランケット胴と対をなす他の版胴を設け、
前記他の版胴を、その中心線が当該他の版胴と対をなす前記他のブランケット胴の中心線より上方であって、しかも前記他の版胴の中心線と前記他のブランケット胴の中心線を含む平面が当該他のブランケット胴の中心線を含む水平面と成す仰角βが３５度≦｜β｜≒｜α｜≦９０度となるように配し、
更に、これら複数の印刷手段の前記仰角βを略同等の大きさにし、
連続紙を略鉛直方向に走行させてこれら印刷手段の前記ブランケット胴の周面と前記圧胴又は前記ブランケット胴の周面と前記他のブランケット胴の周面との間を順次通過させ、連続紙の両面に印刷ができかつ少なくとも１面に多色印刷をすることが可能であるように設けている。
【００１２】
そして、請求項２に記載の発明の構成によれば、前記請求項１に記載の新聞用オフセット輪転印刷機と同等の作用に加え、良好かつ安定した品質の印刷を連続紙の表裏に同時に行うことができる。
【発明の効果】
【００１３】
本発明によれば、上下方向に重ねた印刷手段のそれぞれにおいて、版胴を、その中心線がこの版胴と対をなすブランケット胴の中心線より上方であって、かつ版胴の中心線とブランケット胴の中心線を含む平面がブランケット胴の中心線を含む水平面と成す仰角αが３５度≦｜α｜≦９０度となるように、しかも、上下方向に重ねた印刷手段のすべてにおいて前記仰角αを略同等の大きさに設けたので、印刷稼働の間に版胴に作用する合成荷重の大きさを略同等にするとともに、合成荷重を版胴の自重と転写圧の反力との相殺作用により小さくして版胴の撓みを低減し、また、連続紙に順次印刷するべく配された隣り合う印刷手段間に版胴のバウンドや振動の大きさの相違をなくし得た。そして、これにより、特別な版胴支持の工夫をすることなくブランケット胴外周面での版胴のバウンド及びそれに起因する振動を小さく抑えることができ、また、バウンドする版胴を大きく離隔して設けたので、隣り合う印刷手段の間で版胴のバウンドや振動が影響することをなくし得たので、版胴のバウンドや振動による印刷画像の濃淡やダブリによる印刷品質の低下の発生をなくすことができる。
【００１４】
また、請求項２に記載の発明では、前記の効果を得た状態で連続紙の両面への印刷を行うことができる。
【発明を実施するための最良の形態】
【００１５】
次に、本発明に係る実施の形態について図面を参照して説明する。
【００１６】
図１は、本願発明に係る新聞用多色刷オフセット輪転印刷機の胴配列をブランケット胴の軸方向視で示す概略図、図２は、ブランケット胴に対する版胴の位置の相違による転写圧の反力、版胴自重、合成荷重の大きさと作用方向とを示す模式図、図３は、図１に示した構成とは異なる構成を有する本願発明に係る新聞用多色刷オフセット輪転印刷機の胴配列をブランケット胴の軸方向視で示す概略図である。
【００１７】
本発明に係る新聞用多色オフセット輪転印刷機は、複数の印刷手段Ｐを、図示の実施の形態では４つの印刷手段Ｐを上下方向に重ね、各印刷手段Ｐが、これら印刷手段Ｐを下方又は上方から順次経由する様に紙通しされた連続紙Ｗに、それぞれ相違する色、例えば墨（ブラック）、藍（シアン）、紅（マゼンタ）、黄（イエロー）の画線を印刷可能であるように設ける。
【００１８】
各印刷手段Ｐは、図１に示した実施の形態のように、版胴１、ブランケット胴２及び圧胴３を互いに平行に、図２に示す版胴１の中心線１１がブランケット胴２の中心線２１を含む水平面２２に対し後で説明するように上方に位置するようにし、かつ版胴１の周面に設けた版面を、ブランケット胴２の周面に設けたブランケット面の、ブランケット胴２の中心線を含む鉛直面で２分割される一方の分割周面側と接触可能に、また、圧胴３の周面を、前記ブランケット面の他方の分割周面側と前記連続紙Ｗの全幅を挟んで接触可能に設けるとともに、前記版面にインキを供給可能であるように、インキポンプ若しくはインキつぼ等のインキ供給源４１とインキ供給源４１から前記版面に至るよう互いに平行にかつ順次周面を接触させて設けたインキローラー群４２とからなるインキ供給手段４、及び前記版面に湿し水を供給可能であるように、湿し水スプレーノズル若しくは湿し水ファウンテン等の湿し水供給源５１と湿し水供給源５１から前記版面に至るよう互いに平行にかつ順次周面を接触させて設けた湿し水ローラー群５２とからなる湿し水供給手段５を設け、連続紙Ｗの片面に印刷可能であるように設ける。前記構成において、インキ供給手段４はインキローラー群４２を版胴１の上方に連ならせて設け、版胴１とブランケット胴２が接近又は接触しかつブランケット胴２と圧胴３が接近又は接触した状態で、版胴１の側方から版胴１の周面に対し刷版の装着と離脱が可能であるようにしている。
【００１９】
あるいは、図３に示す実施の形態のように、前記図１に示した実施の形態の各印刷手段Ｐにおける圧胴３に替えて、前記版胴１と同様の他の版胴１ａ、前記ブランケット胴２と同様の他のブランケット胴２ａの対を、ブランケット胴２と他のブランケット胴２ａが互いに他方の圧胴として作用するように、他のブランケット胴２ａのブランケット面が前記連続紙Ｗの全幅を挟んでブランケット胴２のブランケット面に接触可能に設け、かつ他の版胴１ａを、その版面が他のブランケット胴２ａのブランケット面と接触可能であるとともに前記２つのブランケット面に挟まれた連続紙Ｗに対し前記版胴１と略対称になるように設け、更に、この他の版胴２ａの版面にインキを供給可能であるように、前記インキ供給手段４と同様の、つまりインキ供給源４１と同様の他のインキ供給源４１ａと他のインキ供給源４１ａから他の版胴２ａの版面に至るよう互いに平行にかつ順次周面を接触させて設けた他のインキローラー群４２ａとからなる他のインキ供給手段４ａ、及び他の版胴２ａの版面に湿し水を供給可能であるように、前記湿し水供給手段５と同様の、つまり湿し水供給源５１と同様の他の湿し水供給源５１ａと他の湿し水供給源５１ａから他の版胴２ａの版面に至るよう互いに平行にかつ順次周面を接触させて設けた他の湿し水ローラー群５２ａとからなる他の湿し水供給手段５ａを設け、連続紙Ｗの両面に印刷可能である他の印刷手段Ｐａのように設ける。前記構成において、インキ供給手段４ａはインキローラー群４２ａを版胴１ａの上方に連ならせて設け、版胴１とブランケット胴２が接近又は接触し、かつ版胴１ａとブランケット胴２ａが接近又は接触し、更に、ブランケット胴２とブランケット胴２ａが接近又は接触した状態で、版胴１の側方から版胴１の周面に対し刷版の装着と離脱が可能であるとともに、版胴１ａの側方から版胴１ａの周面に対し刷版の装着と離脱が可能であるようにしている。
【００２０】
更に、以上記載の新聞用オフセット輪転印刷機では、印刷手段Ｐの版胴１並びに他の印刷手段Ｐａの版胴１及び他の版胴１ａを、その周面の周方向長さが新聞１ページの長辺の長さと同じ長さ、その周面の軸方向長さが新聞１ページの短辺の長さの４倍の長さであるように設け、印刷手段Ｐのブランケット胴２並びに他の印刷手段Ｐａのブランケット胴２及び他のブランケット胴２ａを、その周面の周方向長さが版胴１又は版胴１ａの周方向長さの２以上の整数倍（図示の実施の形態では２倍）の長さ、その周面の軸方向長さが版胴１又は版胴１ａの軸方向長さと略同等の長さであるように設ける。また、印刷手段Ｐの圧胴３を、その周面の周方向長さがブランケット胴２の周方向長さと略同等の長さ、その周面の軸方向長さがブランケット胴２の軸方向長さと略同等の長さであるように設ける。
【００２１】
そして、前記各印刷手段Ｐの版胴１は、対をなすブランケット胴２に対し、図２に示すように、その中心線１１が、ブランケット胴２の中心線２１を含む水平面２２より上方に位置し、加えて、版胴１の中心線１１とブランケット胴２の中心線２１とを含む平面１０とブランケット胴２の中心線２１を含む水平面２２とがなす仰角がα度であり、かつ他の印刷手段Ｐａの版胴１ａは、対をなすブランケット胴２ａに対し、その中心線１１ａが、ブランケット胴２ａの中心線２１ａを含む水平面２２ａより上方に位置し、加えて、版胴１ａの中心線１１ａとブランケット胴２ａの中心線２１ａとを含む平面１０ａとブランケット胴２ａの中心線２１ａを含む水平面２２ａとがなす仰角がβ度であるときに、絶対値αと絶対値βが略等しくなるように設ける。
【００２２】
次に本願発明の作用について、図２を参照して説明する。なお、ブランケット胴２に対する版胴１の位置関係とブランケット胴２ａに対する版胴１ａの位置関係は、互いに略左右反転関係にあるだけなので、版胴１ａ及びブランケット胴２ａに関してはその符号を（  ）書きで示すことで説明に替える。
【００２３】
図２は、版胴１（１ａ）のブランケット胴２（２ａ）に対する幾つかの位置Ａ（Ａａ）乃至Ｃ（Ｃａ）における版胴１（１ａ）に作用する転写圧の反力Ｘ、版胴自重Ｙ及び合成荷重ＺＡ（ＺＡａ）、ＺＢ（ＺＢａ）、ＺＣ（ＺＣａ）の関係を示している。なお、転写圧の反力Ｘと版胴自重Ｙは何れの位置においても等しいとする。
【００２４】
位置Ａ（Ａａ）は、版胴１（１ａ）がブランケット胴２（２ａ）の真上に位置する状態、つまり、版胴１（１ａ）の中心線１１（１１ａ）とブランケット胴２（２ａ）の中心線２１（２１ａ）を含む平面１０Ａ（１０ａＡ）がブランケット胴２（２ａ）の中心線２１（２１ａ）を含む水平面２２（２２ａ）となす仰角が−９０度（９０度）である位置を示す。この位置Ａ（Ａａ）では、転写圧の反力Ｘが鉛直上方に向かって作用し版胴自重Ｙが鉛直下方に向かって作用するため、合成荷重ＺＡ（ＺＡａ）は、ＺＡ＝ＺＡａ＝Ｘ−Ｙであり、最小となる。
【００２５】
位置Ｃ（Ｃａ）は、版胴１（１ａ）がブランケット胴２（２ａ）の真下に位置する状態、つまり、版胴１（１ａ）の中心線１１（１１ａ）とブランケット胴２（２ａ）の中心線２１（２１ａ）を含む平面１０Ｃ（１０ａＣ）がブランケット胴２（２ａ）の中心線２１（２１ａ）を含む水平面２２（２２ａ）となす俯角が９０度（−９０度）である位置を示す。この位置Ｃ（Ｃａ）では、転写圧の反力Ｘと版胴自重Ｙがいずれも鉛直下方に向かって作用するため、合成荷重ＺＣ（ＺＣａ）は、ＺＣ＝ＺＣａ＝Ｘ＋Ｙであり、最大となる。
【００２６】
他方、本願出願人のテストでは、日本の通常の新聞の大きさである所謂ブランケットサイズの新聞１ページの長辺の長さと同じ長さの周方向長さ及び新聞１ページの短辺の長さの少なくとも４倍の長さの軸方向長さの周面を有する版胴１（１ａ）で新聞を印刷する際、前記転写圧の大きさが当該版胴１（１ａ）の自重の大きさの５．５倍前後必要であった。したがって、合成荷重の大きさ、つまり版胴に撓みを生じさせる力は版胴の自重の４．５乃至６．５倍前後であったが、合成荷重の大きさが版胴自重の５倍以下である場合に品質の良好な印刷物を得ることが可能であった。
【００２７】
位置Ｂ（Ｂａ）は、版胴１（１ａ）の中心線１１（１１ａ）とブランケット胴２（２ａ）の中心線２１（２１ａ）を含む平面１０Ｂ（１０ａＢ）がブランケット胴２（２ａ）の中心線２１（２１ａ）を含む水平面２２（２２ａ）となす仰角がαＢ度（βＢ度）である位置を示す。この位置Ｂ（Ｂａ）では、転写圧の反力Ｘが仰角αＢ度（βＢ度）の方向に向かって作用し版胴自重Ｙが鉛直下方に向かって作用するため、合成荷重ＺＢ（ＺＢａ）は、
【００２８】
【数１】
2008290422.tif 000003
となり、
【００２９】
【数２】
2008290422.tif 000004
となる。
【００３０】
ここで、当該位置Ｂ（Ｂａ）であるときに合成荷重の大きさが版胴の自重の５倍となる、つまり位置Ｂ（Ｂａ）が品質の良好な印刷物を得ることが可能であって仰角αＢ度（βＢ度）が最小の位置であるとすれば、前記式のＸ、Ｙ、ＺＢ（ＺＢａ）に前記比率、すなわちＸ＝５．５、Ｙ＝１、ＺＢ＝ＺＢａ＝５を代入して仰角αＢ＝βＢ≒３４．６度を得ることができる。すなわち、本願発明において所望の作用効果を得るためには、各印刷手段Ｐ又は各印刷手段Ｐａの版胴１（１ａ）を、当該版胴１（１ａ）の中心線１１（１１ａ）とブランケット胴２（２ａ）の中心線２１（２１ａ）を含む平面がブランケット胴２（２ａ）の中心線２１（２１ａ）を含む水平面と成す仰角αが３５度≦｜α｜≦９０度となるように版胴１（１ａ）を配するのが好適である。
【００３１】
なお、図１に示す実施の形態では、新聞用オフセット輪転印刷機の上下方向に重ねたすべての印刷手段を印刷手段Ｐとし、図３に示す実施の形態では、新聞用オフセット輪転印刷機の上下方向に重ねたすべての印刷手段を他の印刷手段Ｐａとしたが、この発明の新聞用オフセット輪転印刷機の印刷手段には、前記印刷手段Ｐと前記他の印刷手段Ｐａとが混在して構成される、例えば、下方２つの印刷手段を他の印刷手段Ｐａとし、上方２つの印刷手段を印刷手段Ｐとして、連続紙の一方面に４色刷り、他方面に２色刷りが可能な新聞用オフセット輪転印刷機や、最下方の印刷手段を他の印刷手段Ｐａとし、他の３つの印刷手段を印刷手段Ｐとして、連続紙の一方面に４色刷り、他方面に１色刷りが可能な新聞用オフセット輪転印刷機が含まれるのは勿論である。
【００３２】
また、印刷手段Ｐの圧胴３の周面の周方向長さは、版胴１やブランケット胴２と整数倍の関係に限定して設ける必要はなく、適宜の強度を有すれば如何様であっても差し支えない。
【００３３】
更にまた、各印刷手段Ｐａにおいて版胴１（１ａ）を、当該版胴１（１ａ）の中心線１１（１１ａ）とブランケット胴２（２ａ）の中心線２１（２１ａ）を含む平面がブランケット胴２（２ａ）の中心線２１（２１ａ）を含む水平面と成す仰角α度が９０度近辺の数値であると、図２に２点鎖線で示すように、版胴１のインキ供給手段４と版胴１ａのインキ供給手段４ａが干渉する、又は極めて接近して連続紙Ｗの走行空間が狭まるとともに、両インキ供給手段４及び４ａのメインテナンスやローラー交換を極めて狭隘な空間で行わなければならないようになる不都合が生じる。したがって、版胴１（１ａ）の中心線１１（１１ａ）とブランケット胴２（２ａ）の中心線２１（２１ａ）を含む平面がブランケット胴２（２ａ）の中心線２１（２１ａ）を含む水平面と成す仰角α度が９０度以下、例えば７０度となるように設けると、前記不都合を避けることができ、好適である。
【図面の簡単な説明】
【００３４】
【図１】本願発明に係る新聞用多色刷オフセット輪転印刷機の胴配列をブランケット胴の軸方向視で示す概略図である。
【図２】ブランケット胴に対する版胴の位置の相違による転写圧の反力、版胴自重、合成荷重の大きさと作用方向とを示す模式図である。
【図３】図１に示した構成とは異なる構成を有する本願発明に係る新聞用多色刷オフセット輪転印刷機の胴配列をブランケット胴の軸方向視で示す概略図である。
【符号の説明】
【００３５】
１：版胴、１１：版胴の中心線、
１ａ：他の版胴、１１ａ：他の版胴の中心線、
２：ブランケット胴、２１：ブランケット胴の中心線、
２２：ブランケット胴の中心線を含む水平面、
２ａ：他のブランケット胴、２１ａ：他のブランケット胴の中心線、
２２ａ：他のブランケット胴の中心線を含む水平面、
３：圧胴、
４：インキ供給手段、４１：インキ供給源、４２：インキローラー群、
４ａ：他のインキ供給手段、４１ａ：他のインキ供給源、
４２ａ：他のインキローラー群、
５：湿し水供給手段、５１：湿し水供給源、５２：湿し水ローラー群、
５ａ：他の湿し水供給手段、５１ａ：他の湿し水供給源、
５２ａ：他の湿し水ローラー群、
１０：版胴の中心線とブランケット胴の中心線とを含む平面、
１０ａ：他の版胴の中心線と他のブランケット胴の中心線とを含む平面、
１０Ａ：位置Ａにおける版胴の中心線とブランケット胴の中心線を含む平面、
１０ａＡ：位置Ａａにおける他の版胴の中心線と他のブランケット胴の中心線を含む平面、
１０Ｂ：位置Ｂにおける版胴の中心線とブランケット胴の中心線を含む平面、
１０ａＢ：位置Ｂａにおける他の版胴の中心線と他のブランケット胴の中心線を含む平面、
１０Ｃ：位置Ｃにおける版胴の中心線とブランケット胴の中心線を含む平面、
１０ａＣ：位置Ｃａにおける他の版胴の中心線と他のブランケット胴の中心線を含む平面、
Ｐ：印刷手段、Ｐａ：他の印刷手段、Ｗ：連続紙、
Ｘ：版胴（他の版胴）に作用する転写圧の反力、
Ｙ：版胴（他の版胴）に作用する版胴自重、
ＺＡ、ＺＢ、ＺＣ：版胴に作用する合成荷重、
ＺＡａ、ＺＢａ、ＺＣａ：他の版胴に作用する合成荷重、
α：版胴の中心線とブランケット胴の中心線とを含む平面とブランケット胴の中心線を含む水平面とがなす仰角、
β：他の版胴の中心線と他のブランケット胴の中心線とを含む平面と他のブランケット胴の中心線を含む水平面とがなす仰角、
αＢ：位置Ｂにおける版胴の中心線とブランケット胴の中心線を含む平面とブランケット胴の中心線を含む水平面がなす仰角、
βＢ：位置Ｂａにおける他の版胴の中心線と他のブランケット胴の中心線とを含む平面と他のブランケット胴の中心線を含む水平面とがなす仰角
【図１】
2008290422.tif 000005
【図２】
2008290422.tif 000006
【図３】
2008290422.tif 000007